(57)【要約】【課題】簡単な構造でディスクカートリッジの位置決めと逆入れ防止、さらにディスクカートリッジの着脱を容易にした光ディスク装置を提供する。【解決手段】筐体４０と、この筐体４０に挿入又は排出されディスクを内包したディスクカートリッジ１０を載置するディスクトレイ３１とを有するディスク装置１００において、ディスクトレイ３１に対して位置決めするためのガイド溝２６を有するディスクカートリッジ１０をディスクトレイ３１に載置する際、ディスクトレイ３１のディスクカートリッジ載置面にガイド溝２６と係止されるリブ４５を設けたことを特徴とする。【選択図】      図４
2004213778.tif 000002
【特許請求の範囲】
【請求項１】
筐体と、この筐体に挿入又は排出されディスクを内包したディスクカートリッジを載置するディスクトレイとを有するディスク装置において、
前記ディスクトレイに対して位置決めするためのガイド溝を有する前記ディスクカートリッジを前記ディスクトレイに載置する際、前記ディスクトレイの前記ディスクカートリッジ載置面に前記ガイド溝と係止されるリブを設けたことを特徴とするディスク装置。
【請求項２】
前記リブは、前記ディスクトレイの挿入方向又は排出方向に対する両側に設けられていることを特徴とする請求項１記載のディスク装置。
【請求項３】
前記リブは、Ｌ字状に形成されたことを特徴とする請求項１記載のディスク装置。
【請求項４】
前記ディスクトレイは、その両側面に前記ディスクカートリッジとほぼ同じ幅を有する挿入ガイドが設けられ、この挿入ガイドは前記両側面の一部分のみを覆っていることを特徴とする請求項１記載のディスク装置。
【請求項５】
前記ディスクトレイは、その両側面の一部及び前面は開放された形状であることを特徴とする請求項１記載のディスク装置。
【発明の詳細な説明】
【０００１】
【発明の属する技術分野】
この発明は、情報記憶媒体としての光ディスクを収納したディスクカートリッジを受け入れて光ディスクに対する情報処理を行う光ディスク装置に関する。
【０００２】
【従来の技術】
近年、情報記憶媒体として光ディスクが広く使用されている。このような光ディスクの中には、光ディスクの損傷、汚れの付着等を防止するため、ディスクカートリッジ内に収納された状態で使用されるものが提供されている。
【０００３】
このようなディスクカートリッジは、通常、光ディスクを収納した偏平なケースを有し、このケースの両面には、光ディスクを露出するための窓部がそれぞれ形成されている。また、ケースには、窓部を開閉するためのシャッターが摺動自在に取り付けられている。
【０００４】
一方、上記光ディスクに対して情報の読み出し、書き込み等の処理を行う光ディスク装置は、前面に挿通口が設けられた矩形箱状の筐体と、ディスクカートリッジが載置されるディスクトレイとを備えられている。この筐体内部には、光ディスクを支持するターンテーブル、光ディスクに対して情報の読み出し、書き込みを行う光ヘッド、ターンテーブルを駆動するモータ、ターンテーブル上に載置された光ディスクをクランプするクランプホルダ等が設けられている。また、ディスクトレイには、筐体内部に対し、挿通口を通して引き込みおよび引き出し可能に設けられ、矩形状のガイドでディスクカートリッジを囲う収納部があり、１２ｃｍ、８ｃｍディスク収納部と一体となった可動式のディスクカートリッジ先端保持部がある。
【０００５】
ディスクカートリッジ挿入時には、ディスクカートリッジ先端保持部が挿入方向にスライドしてディスクカートリッジが所定の位置に装填される。ディスクカートリッジ先端保持部には排出方向へバネ力が働いており、ディスクカートリッジ排出時の補助力となっている。
【０００６】
このように、例えばＤＶＤ（Ｄｉｇｉｔａｌ  Ｖｅｒｓａｔｉｌｅ  Ｄｉｓｋ）−ＲＡＭ（Ｒａｎｄｏｍ  Ａｃｃｅｓｓ  Ｍｅｍｏｒｙ）のように裸の光ディスクとカートリッジに収納された光ディスクの両方を扱う装置に関する技術が公開されている（例えば、特許文献１参照）。
【０００７】
【特許文献１】
特開平１１−１２０６５９号公報（第５頁−第７頁）
【０００８】
【発明が解決しようとする課題】
このように、裸のディスクとディスクカートリッジに収納された光ディスクに記録または再生を行なう装置は、裸のディスクだけを扱うだけでなく光ディスクが収納されたディスクカートリッジも扱うため、特にディスクカートリッジの位置決めや取り出しを補助するためカートリッジを矩形状に囲う構造となっている。すなわち、トレイの挿入方向または排出方向に対する両側面、および排出方向の前面が囲まれており、またディスクカートリッジを取り出し易くするために上記前面の一部が切欠けた形状となっている。さらに、上記両側面にはディスクカートリッジの逆入れ防止用の突起も設けられている。このように、ディスクカートリッジの位置決めや取り出し、逆入れ防止を補助する機構をそれぞれ必要とし、部品点数や製造工数が多くかかっていた。
【０００９】
本発明はこのような課題を解決するためのもので、簡単な構造でディスクカートリッジの位置決めと逆入れ防止、さらにディスクカートリッジの着脱を容易にした光ディスク装置を実現することを目的とする。
【００１０】
【課題を解決するための手段】
この発明は、上記の目的を達成するために、筐体と、この筐体に挿入又は排出されディスクを内包したディスクカートリッジを載置するディスクトレイとを有するディスク装置において、前記ディスクトレイに対して位置決めするためのガイド溝を有する前記ディスクカートリッジを前記ディスクトレイに載置する際、前記ディスクトレイの前記ディスクカートリッジ載置面に前記ガイド溝と係止されるリブを設けたことを特徴とする。
【００１１】
上記の構成により、ディスクトレイ上のディスクカートリッジ載置面に、ディスクカートリッジのガイド溝に逆入れ防止を兼ねたディスクカートリッジ位置決めの固定リブを設けたことで、ディスクカートリッジを保持し易くし、排出を補助する機構がなくてもディスクカートリッジの取り出しを容易にすることができる。
【００１２】
【発明の実施の形態】
以下図面を参照しながら、この発明の実施の形態に係る光ディスク駆動装置について詳細に説明する。まず初めに、光ディスク装置に装填されるディスクカートリッジについて説明する。
【００１３】
図１は、本実施の形態で説明する光ディスク装置に装填されるディスクカートリッジを示す斜視図であり、図２はシャッターを開放した状態におけるディスクカートリッジを示す斜視図である。
【００１４】
光ディスクには片面記録のものと両面記録のものがあり、片面記録の場合には図１及び図２に示されるようなディスクカートリッジが使用される。図１および図２に示すように、ディスクカートリッジ１０は、ディスク状の記録媒体として、光ディスク１４を収納した偏平な矩形状のケース１２を備えている。カートリッジ本体として機能するケース１２は、ほぼ同一構造を有する一対のハーフケース１３ａ、１３ｂを接合することにより形成されている。
【００１５】
光ディスク１４の表面と対向しているケース１２の上壁および下壁、つまり、ハーフケース１３ａ、１３ｂの主壁１１ａ、１１ｂには、光ディスク１４へアクセスするための窓部１６がそれぞれ形成され、互いに対向している。各窓部１６は、それぞれケース１２のほぼ中央から、後述する光ディスク装置に対するディスクカートリッジ１０の挿入方向Ａに向かって、ケース１２の前端面１２ａ近傍まで延びている。
【００１６】
ケース１２内に収納された光ディスク１４の中心部には、中心孔１９および中心孔の周囲に位置したクランプ領域１８が設けられている。そして、中心孔１９、クランプ領域１８、および光ディスク１４の片面の一部は、窓部１６を通して露出している。
【００１７】
ケース１２には、窓部１６を開閉する両面一体型のシャッター２２が摺動自在に取り付けられている。シャッター２２は、それぞれ窓部１６を開閉する一対の矩形状の遮蔽板２２ａと、これら遮蔽板の前端同志を連結しているとともにケース前端面１２ａと対向した連結板２２ｂとを有し、断面Ｕ字形状に形成されている。そして、シャッター２２は、ケース１２の前端面１２ａ側からケース１２の両表面側を挟むようにして取り付けられている。また、連結板２２ｂには、シャッター２２を開閉するための係合突部２３が形成されている。
【００１８】
シャッター２２は、図１に示すように、窓部１６を閉塞する閉塞位置と、図２に実線および２点鎖線でそれぞれ示すように、閉塞位置の両側に位置しそれぞれ窓部１６を開放する２つの開放位置と、の間をケース１２の前端面１２ａと平行な方向、つまり、ディスクカートリッジ１０の挿入方向Ａと直行する開閉方向Ｂに沿って摺動可能となっている。シャッター２２は、ケース１２内で窓部１６の両側に配設された図示しない２つのシャッターばねにより常時閉塞位置に向かって付勢されている。
【００１９】
ハーフケース１３ａ、１３ｂの表面の内、シャッター２２の遮蔽板２２ａが摺動する領域は、浅い矩形状の凹所１５として形成され、窓部１６もこの凹所内に形成されている。また、ハーフケース１３ａ、１３ｂは、凹所１５の後端中央部から窓部１６の近傍まで突出した抜け止め用の突部１７を有し、この突部１７は、遮蔽板２２ａの自由端部と係合して遮蔽板を凹所１５内に保持している。
【００２０】
各ハーフケース１３ａ、１３ｂの主壁１１ａ、１１ｂの後端部中央および後端面中央部には、ラベル貼付部６が連続して形成されている。ケース１２の両側壁１２ｂ、１２ｃの後端部には、光ディスク装置のトレイに対してディスクカートリッジ１０を位置決めするためのガイド溝２６がそれぞれ形成されているとともに、両側壁１２ｂ、１２ｃの前端部には、光ディスクドライブ側のローディング機構を引っ掛けるための凹所２７がそれぞれ形成されている。その他、ハーフケース１３ａ、１３ｂには、種々の検出用の透孔が形成されている。
【００２１】
次に、上述したディスクカートリッジ１０を受け入れて光ディスク１４に対する情報の読み出しあるいは書き込みを行う光ディスク装置について説明する。
図３は、ディスクトレイが排出状態の光ディスク装置を示す。図のように、光ディスク装置１００はほぼ矩形状の筐体４０を備え、筐体４０の前面開口には筐体４０内に対してディスクカートリッジ１０を出し入れするための細長い矩形状の挿通口４１が形成されている。そして、ディスクカートリッジ１０がディスクトレイ３１に装着され、ディスクトレイ３１を筐体４０内に引き込み光ディスクを駆動する。
【００２２】
図４は、ディスクトレイを示す斜視図である。図に示されるように、ディスクカートリッジ装着部４２には、ディスクカートリッジ１０とほぼ同じ幅で成型され、ディスクカートリッジ１０を装着するためのガイドとしてディスクトレイ３１の両側面の一部のみに板状の挿入ガイド４３が設けられている。すなわち、この挿入ガイド４３は両側面を全て覆っているわけではなく途中で終了した状態となっている。したがって、ディスクトレイ３１の両側面の前半部分（符号４７、４８）および前面部分（符号４９）が開放された形状になっている。このように両側面の前半部分および前面部分が開放されていることで、着脱の際のディスクカートリッジ１０の保持を容易にすることができる。
【００２３】
また、ディスクカートリッジ装着部４２はディスクカートリッジ挿入時に挿入方向のストッパーとなるストッパーリブ４４と、ディスクカートリッジ１０の左右のガイド溝２６、２６に係止する位置（入り込む位置）にＬ字型のリブ４５が設けられている。
【００２４】
また、ディスクトレイ３１の排出方向側は、１２ｃｍディスクおよびディスクカートリッジ１０を保持し易くするために、コの字型に切り欠いた形状となっている。さらに、ディスクカートリッジ１０の挿入方向側の先端部位置には、ディスクカートリッジ１０のシャッター２２を開閉するためのシャッター開閉部材４６が取り付けられている。このシャッター開閉部材４６は、ディスクトレイ３１を光ディスク装置１００内に挿入および排出することにより、ディスク装置内のガイドレール（不図示）に沿って開閉部材がスライドし、シャッター２２を開閉するようになっている。
【００２５】
次に、ディスクカートリッジ１０の着脱方法について説明する。
図５（ａ）、（ｂ）はディスクカートリッジ着脱方法を示す側面図である。
ディスクカートリッジ１０の装着は、ディスクトレイ３１が光ディスク装置１００から排出された状態で、図５（ａ）に示されるように、上方から挿入方向にストッパーリブ４４に当たる位置まで差し込んた後、ディスクカートリッジ１０をディスクトレイ３１に載せることで装着となる。この時、ディスクカートリッジ１０のガイド溝２６、２６は、ディスクトレイ３１のＬ字型リブ４５と同じ位置に配置されるようになっている。また、図５（ｂ）に示されるように、ディスクカートリッジ１０先端がストッパーリブ４４より手前の位置にある状態でＬ字型リブ４５上に載せた後、ストッパーリブ４４に当たる位置まで押し込むように移動させることによって装着させてもよい。
【００２６】
ディスクカートリッジ１０の取り出しは、例えば、イジェクトボタン（不図示）を押下してディスクトレイ３１を筐体４０から排出させた状態で、ディスクトレイ３１の両側面の前半部分４７、４８および前面の切り欠き部を利用して取り出す。実際には、ディスクトレイ３１の挿入ガイド４３、４３およびＬ字型リブ４５から露出しているディスクカートリッジ１０の両側面、もしくはディスクトレイ３１の前面にあるコの字型の切り欠き部の露出している部分を保持し、Ｌ字型リブ４５から外れる位置まで持ち上げることにより、取り出すことができる。
【００２７】
ディスクカートリッジ装着時の位置決めは、Ｌ字型リブ４５とストッパーリブ４４によって挿入方向の位置が決められ、ディスクカートリッジ１０のシャッター開動作によりディスクカートリッジ１０のシャッター２２を閉じるためのバネの反力が働き、シャッター開方向へディスクカートリッジ１０がＬ字型リブ４５と挿入ガイド４３、４３に押し当てられることにより、幅方向の位置が決められる。
【００２８】
以上説明したように、本発明では、図１及び図２に示されるような片面記録用のディスクカートリッジ１０を使用する場合について適用される。片面記録用のディスクカートリッジは、２箇所のガイド溝２６、２６及び２箇所の凹所２７、２７が一方向からしか挿入されないような構造になっており、ディスクトレイに装着する際にこれを利用して逆向きに装着することを防ぐことが出来るようになっている。本ディスクトレイ３１では、逆入れ防止にディスクカートリッジ１０の排出側のガイド溝２６、２６部分を利用している。逆向きに装着された場合、図６に示されるようにディスクカートリッジ１０がＬ字型リブ４５に乗り上げることで、光ディスク装置１００内に引き込めないようになっている。従来は、ディスクカートリッジの位置決めや逆入れ防止、取り出しを補助するための機構をそれぞれ必要としていたが、本発明では位置決めおよび逆入れ防止のためのディスクトレイと一体のＬ字型リブを設けて特別な機構を無くすことを特徴としている。
【００２９】
なお、本発明は、上記実施形態に限定されるものではなく、実施段階では、その要旨を逸脱しない範囲で種々に変形することが可能である。
【００３０】
【発明の効果】
このように、ディスクトレイ３１上にディスクカートリッジ幅方向の挿入ガイドおよびＬ字型リブを一体成型することにより、ディスクカートリッジの位置決めおよび逆入れ防止のための特別な機構を設ける必要がなく、部品点数および製造工数低減による製造コストの低減を図ることができる。
【００３１】
また、ディスクカートリッジ装着時の露出部分を増やすことで着脱の際のディスクカートリッジの保持を容易にし、位置決め及び逆入れ防止のための特別な機構を設けないことで、機械的な不可抵抗なく着脱することができる。
【００３２】
また、光ディスク装置はコンピュータ等の筐体内に設置して使用されることが多い。この時、筐体にはディスクトレイ排出のための開口部が設けられるが、位置決め及び逆入れ防止のためにディスクカートリッジのガイド溝を利用することにより、ディスクカートリッジ着脱の際にディスクカートリッジ先端をディスクトレイに接した状態で挿入することができるため、ディスクカートリッジ先端の上方向に余分な空間を必要とせず、筐体の開口部を小さくすることができる。これにより、光ディスク装置の筐体のデザイン性により高い自由度を持たせることができる。
【図面の簡単な説明】
【図１】本実施の形態で説明する光ディスク装置に装填されるディスクカートリッジを示す斜視図である。
【図２】シャッターを開放した状態におけるディスクカートリッジを示す斜視図である。
【図３】ディスクトレイが排出状態の光ディスク装置を示す図である。
【図４】本実施形態に係るディスクトレイを示す斜視図である。
【図５】ディスクカートリッジ着脱方法を示す側面図である。
【図６】片面記録ディスク用ディスクカートリッジを逆入れした状態の側面図である。
【符号の説明】
１０    ディスクカートリッジ
１２    ケース
２２    シャッター
２６    ガイド溝
２７    凹所
３１    ディスクトレイ
４０    筐体
４３    挿入ガイド
４４    ストッパーリブ
４５    Ｌ字型リブ
４６    シャッター開閉部材
【図１】
2004213778.tif 000003
【図２】
2004213778.tif 000004
【図３】
2004213778.tif 000005
【図４】
2004213778.tif 000006
【図５】
2004213778.tif 000007
【図６】
2004213778.tif 000008